(57)【要約】【課題】  構造が簡単で、異常高圧が発生したとしても高圧部の配管などの破壊を防止することができる膨張装置を提供する。【解決手段】  冷媒の上流側の圧力と下流側の圧力との差圧が大きくなるに従って弁体７がリフトしていく差圧制御弁と、弁体７を閉弁方向に付勢するスプリング１６と、弁体７を開弁方向に付勢するスプリング１７とを備えている。スプリング１７は、差圧が所定値にあるときの弁体７のリフト位置にて自由長となるよう設定される。差圧が所定値以下のとき、スプリング１６，１７の合成荷重により差圧の変化に対する絞り通路断面積を変化させて、通常の絞り膨張を行い、差圧が所定値を超えたときは、スプリング１６だけの荷重により差圧の変化に対する絞り通路断面積を大きく変化させて、より多くの高圧の冷媒を上流側から下流側へリリーフさせるようにする。【選択図】  図１
2006292184.tif 000002
【特許請求の範囲】
【請求項１】
冷凍サイクルのエバポレータに向かう配管内に配置されて循環する冷媒を絞り膨張させる膨張装置において、
前記冷媒の上流側の圧力と下流側の圧力との差圧が大きくなるに従って開弁していく差圧制御弁と、
前記差圧制御弁を閉弁方向に付勢する第１のスプリングと、
前記差圧が所定値以下のときだけ前記差圧制御弁を開弁方向に付勢する第２のスプリングと、
を備えていることを特徴とする膨張装置。
【請求項２】
前記差圧制御弁は、これを収容するボディの中心に軸線方向に形成された弁孔と、前記弁孔の上流側にて前記弁孔を開閉可能に配置され、前記弁孔の内径よりも大きな外径を有するよう形成された弁体とを備え、
前記差圧が所定値以下のとき、前記第１のスプリングが前記弁体を閉弁方向に付勢しながら前記第２のスプリングが前記弁体を開弁方向に付勢し、前記差圧が所定値を超えると前記第１のスプリングのみが前記弁体を閉弁方向に付勢するようにしたことを特徴とする請求項１記載の膨張装置。
【請求項３】
前記弁体に軸線方向に移動可能に嵌着されたばね受け部材を備え、前記差圧が所定値にあるときのリフト位置にて前記ボディに対して前記弁体を開弁方向に付勢している前記第２のスプリングが自由長になるように前記ばね受け部材が軸線方向に調整されていることを特徴とする請求項２記載の膨張装置。
【請求項４】
前記差圧制御弁は、これを収容するボディに前記冷媒の前記上流側と前記下流側との間を連通するように形成された孔に軸線方向に移動可能に嵌着された筒状の弁座形成部材と、前記弁座形成部材の中心に軸線方向に形成された弁孔の上流側にて前記弁孔を開閉可能に配置され、前記弁孔の内径よりも大きな外径を有するよう形成された弁体とを備え、
前記差圧が所定値以下のとき、前記第１のスプリングが前記弁体を閉弁方向に付勢しながら前記第２のスプリングが前記弁体を開弁方向に付勢し、前記差圧が所定値を超えると前記第１のスプリングのみが前記弁体を閉弁方向に付勢するようにしたことを特徴とする請求項１記載の膨張装置。
【請求項５】
前記第２のスプリングは、前記差圧が所定値にあるときのリフト位置にて前記ボディに対して前記弁体を開弁方向に付勢している前記第２のスプリングが自由長になるように前記弁座形成部材が軸線方向に調整されていることを特徴とする請求項４記載の膨張装置。
【請求項６】
前記弁座形成部材は、パイプで構成したことを特徴とする請求項５記載の膨張装置。
【請求項７】
前記差圧制御弁の弁体と連動するピストンと、前記ピストンによって画成された閉止空間がオリフィスを介して前記下流側と連通されているダンパ室とを有するダンパ部を備えていることを特徴とする請求項１記載の膨張装置。
【請求項８】
冷凍サイクルのエバポレータに向かう配管内に配置されて循環する冷媒を絞り膨張させる膨張装置において、
前記冷媒の上流側の圧力と下流側の圧力との差圧が大きくなるに従って開弁していく第１の差圧制御弁と、
前記第１の差圧制御弁を閉弁方向に付勢する第１のスプリングと、
前記冷媒の前記上流側の圧力と下流側の圧力との差圧が大きくなるに従って開弁していく第２の差圧制御弁と、
前記第１のスプリングと異なる荷重に設定されていて前記第２の差圧制御弁を閉弁方向に付勢する第２のスプリングと、
を備え、前記冷媒の流れ方向に前記第１の差圧制御弁と前記第２の差圧制御弁とが並列に配置され、前記第１の差圧制御弁は、これを収容するボディに対して前記差圧が所定値以下では前記第１のスプリングによる閉弁方向の付勢力によって軸線方向に相対変化しないようにされていることを特徴とする膨張装置。
【請求項９】
前記第１の差圧制御弁の第１の弁体と前記第２の差圧制御弁の第２の弁体とを軸線方向に対向させて配置し、前記第１の弁体および前記第２の弁体が互いに相手の弁座として機能していることを特徴とする請求項８記載の膨張装置。
【請求項１０】
前記第１の差圧制御弁および前記第２の差圧制御弁の少なくとも一方は、その弁体と連動するピストンと、前記ピストンによって画成された閉止空間がオリフィスを介して前記下流側と連通されているダンパ室とを有するダンパ部を備えていることを特徴とする請求項９記載の膨張装置。
【発明の詳細な説明】
【技術分野】
【０００１】
本発明は膨張装置に関し、特に自動車用エアコンシステムの冷凍サイクルに用いられる膨張装置に関する。
【背景技術】
【０００２】
自動車用エアコンシステムの冷凍サイクルでは、エンジン駆動のコンプレッサによって圧縮された高温・高圧の冷媒をコンデンサまたはガスクーラにて凝縮または冷却し、それを膨張装置により絞り膨張させて低温・低圧の冷媒にし、それをエバポレータにて蒸発させ、蒸発された冷媒を再びコンプレッサに戻すようにしている。このような膨張装置としては、一般に、エバポレータ出口の冷媒の温度および圧力に応じてその冷媒の状態が所定の過熱度になるように冷媒の流量を制御する温度式の膨張弁が用いられている。
【０００３】
一方、エバポレータの出口側にて余分な冷媒を貯めて気液分離を行うアキュムレータとコンデンサまたはガスクーラから出た高圧冷媒の過冷却度および乾き度の変動に応じて冷媒流量を制御する膨張装置も知られている（たとえば、特許文献１参照。）。このような膨張装置は、コンデンサまたはガスクーラとエバポレータとの間を接続する配管の中に挿入して冷媒を絞り膨張させるようにしたもので、比較的構造が簡単であり、設置スペースが実質的に不要であるという利点を有している。この膨張装置は、上流側の冷媒の圧力と下流側の冷媒の圧力との差、つまり、その前後の差圧に応じて開度を制御する差圧制御弁の構成を有している。
【０００４】
さらに、最近の膨張装置では、急激な圧力変動があったときに、その圧力変動に敏感に応答してしまい、冷凍サイクルが不安定になってハンチング現象が生じるのを抑制するために、差圧制御弁の急激な動作を抑制するダンパ機構を備えたものも開発されている。
【特許文献１】特開２００２−５５４４号公報（図１など）
【発明の開示】
【発明が解決しようとする課題】
【０００５】
しかしながら、ダンパ機構を備えた膨張装置を、冷媒として作動圧力が非常に高いたとえば二酸化炭素を用いた冷凍サイクルに適用した場合、上流側にあるコンプレッサの制御回路、冷媒圧力を検出する圧力センサなどが故障してコンプレッサが誤動作し、これにより膨張装置の上流側の高圧部の圧力が急激に上昇して異常高圧になった場合に、ダンパ機構が働き、膨張装置が急激な圧力変動に追いつかないで差圧制御弁が開かず、異常高圧によって高圧系統にあるガスクーラや配管などが破壊する可能性があるという問題点があった。
【０００６】
本発明はこのような点に鑑みてなされたものであり、さらに構造が簡単で、異常高圧が発生したとしても高圧部の配管などの破壊を防止することができる膨張装置を提供することを目的とする。
【課題を解決するための手段】
【０００７】
本発明では上記問題を解決するために、冷凍サイクルのエバポレータに向かう配管内に配置されて循環する冷媒を絞り膨張させる膨張装置において、前記冷媒の上流側の圧力と下流側の圧力との差圧が大きくなるに従って開弁していく差圧制御弁と、前記差圧制御弁を閉弁方向に付勢する第１のスプリングと、前記差圧が所定値以下のときだけ前記差圧制御弁を開弁方向に付勢する第２のスプリングと、を備えていることを特徴とする膨張装置が提供される。
【０００８】
このような膨張装置によれば、差圧が所定値以下のとき、差圧制御弁は、差圧が大きくなるに従って第１および第２のスプリングによる閉弁方向の合成荷重に抗して開弁し、差圧が所定値を超えたときには、差圧が大きくなるに従って第１のスプリングの荷重に抗して開弁するようにしている。第１のスプリングのばね定数は、第１および第２のスプリングによる合成のばね定数より小さくなるので、差圧が所定値を超えるような急激な圧力上昇があったときには、差圧の変化に対する差圧制御弁の絞り通路断面積の変化率が大きくなり、同じ差圧変化に対してより多くの高圧の冷媒を上流側から下流側へリリーフさせることができるようになる。
【発明の効果】
【０００９】
本発明の膨張装置は、差圧制御弁と２つのスプリングとで構成されているため簡単かつ小型に構成することができ、２つのスプリングにより、差圧が所定値以下のときとその所定値を超えたときとで、差圧の変化に対する絞り通路断面積の変化率が変わる２段階の特性にしたことで、急激な圧力上昇時に、絞り通路断面積を大きく変化させてより多くの高圧の冷媒を下流側へリリーフさせることができ、高圧部品を異常高圧による破裂などの破壊から防ぐことができるという利点がある。
【発明を実施するための最良の形態】
【００１０】
以下、本発明の実施の形態を、冷媒に二酸化炭素を使用した冷凍サイクルの膨張弁に適用した場合を例に図面を参照して詳細に説明する。
図１は第１の実施の形態に係る膨張装置の構成を配管内に設置した状態で示す中央縦断面図である。
【００１１】
この第１の実施の形態に係る膨張装置は、冷凍サイクルのガスクーラとエバポレータとの間に接続される冷媒循環用の配管１内に設置されるもので、配管１の途中を内側に座屈して形成された縮管部２の上流側に配置される。なお、配管１の図の上部がガスクーラから冷媒が流入してくる上流側であり、図の下部がエバポレータへ冷媒が流出していく下流側になっている。
【００１２】
この膨張装置は、その前後の差圧に応じて開度を制御する差圧制御弁の構成を有している。すなわち、この膨張装置は、ボディ３を有し、配管１の縮管部２に近い外周にシール手段としてのＯリング４が周設されている。ボディ３は、その下部中央部に軸線方向に設けられた弁孔５と、この弁孔５の上流側に設けられてこの膨張装置の冷媒入口を構成する横孔６とを有している。弁孔５の上流側には、これを開閉する弁体７が軸線方向に進退自在に配置されている。この弁体７は、上流側の圧力が開弁方向に受圧するように弁孔５の内径よりも大きな外径を有し、ボディ３に軸線方向に摺動自在に支持されている。
【００１３】
ボディ３の弁体支持部よりも図の上部は、筒状のシリンダ８が一体に形成されており、その中には、弁体７と同軸上に延びて一体に形成されたピストン９が配置されている。このピストン９は、シリンダ８に遊嵌されるリング状のばね受け部材１０が圧入により嵌着されている。
【００１４】
弁体７およびピストン９は、その軸線方向に中央通路１１が形成され、この中央通路１１は、ピストン９に形成されたオリフィス１２を介してその上部の空間に連通し、また、横孔１３を介してピストン９に周着されたばね受け部材１０の下部の空間にも連通している。ピストン９の下部の空間が中央通路１１および弁孔５を介して膨張装置の出口である下流側に連通しているので、膨張装置が全閉しているときは、弁体７とこれを支持しているボディ３との間のクリアランスを介して冷媒の最少流量を流すことができる。
【００１５】
シリンダ８の上部は、蓋１４が圧入されていて、ピストン９とともに閉じた空間になっている。この閉じた空間は、オリフィス１２を介して膨張装置の下流側に連通され、この空間を構成するピストン９が弁体７と一体になっていることから、導入される上流側の冷媒の圧力が急激に変化しても、弁体７の急激な開閉動作を抑制するようなダンパ室１５を構成している。
【００１６】
そして、そのダンパ室１５の中には、ピストン９を介して弁体７を閉弁方向に付勢するスプリング１６が配置され、ピストン９に周着されたばね受け部材１０の下部の空間には、ばね受け部材１０およびピストン９を介して弁体７を開弁方向に付勢するスプリング１７が配置されている。これらスプリング１６，１７は、膨張装置の正常動作範囲では、それらの合成荷重がこの膨張装置の動作に寄与し、正常動作範囲を超えた異常高圧では、スプリング１６のみ膨張装置の動作に寄与し、スプリング１７は、伸び切ってしまって膨張装置の動作には何ら寄与しないよう設計してある。なお、スプリング１６は、蓋１４のシリンダ８への圧入量を調節することによって設定荷重が調整され、スプリング１７は、ピストン９とこれに嵌着されたばね受け部材１０との軸線方向の相対位置を調整することによって設定荷重が調整される。
【００１７】
次に、以上のように構成された膨張装置の動作について、図２を参照しながら説明する。
図２は膨張装置の基本的な開弁特性例を示す図である。
【００１８】
この図２において、横軸は膨張装置の入口の圧力と出口の圧力との差圧ΔＰを示し、縦軸は絞り通路断面積を示している。まず、ガスクーラを出た高温・高圧のガス冷媒は、配管１を通って図の上部から流入してくる。その冷媒は、ボディ３と一体のシリンダ８と配管１との間の隙間を通り、横孔６を介して膨張装置に導入される。このとき、弁体７には、ボディ３によって軸線方向に摺動自在に支持されている部分の断面積に上流側の冷媒の圧力が開弁方向に受圧し、弁孔５の断面積には、下流側の冷媒の圧力が開弁方向に受圧している。つまり、ボディ３によって支持されている部分の断面積から弁孔５の断面積を差し引いた面積に、この膨張装置の前後の差圧ΔＰが開弁方向にかかっていることになる。一方、弁体７は、また、ダンパ室１５内のスプリング１６によって閉弁方向の荷重を受け、もう一方のスプリング１７によって開弁方向の荷重を受けている。
【００１９】
ここで、膨張装置の前後の差圧が小さく、差圧ΔＰによる弁体７のリフト荷重がスプリング１６，１７の合成荷重よりも小さいときは、膨張装置は、全閉状態にある。この全閉状態では、弁体７とこれを支持しているボディ３との間のクリアランスによる最小の絞り通路断面積が存在しているので、最少流量の冷媒がそのクリアランスを介してばね受け部材１０の下部の空間に流れ、そこから、弁体７に形成された横孔１３および中央通路１１を介してこの膨張装置の下流側へ流れていく。この状態は、図示の例では、差圧ΔＰが０〜２ＭＰａの範囲にあるときに対応する。
【００２０】
次に、上流側の冷媒の圧力が高くなって膨張装置の前後の差圧ΔＰが大きくなり、その差圧ΔＰによる弁体７のリフト荷重がスプリング１６，１７の合成荷重よりも大きくなると、弁体７がリフトしていく。弁体７のリフトに応じて絞り通路断面積が増えていくので、その絞り通路断面積に応じた流量の冷媒が下流側に流れる。このとき、高温・高圧のガス冷媒は、絞り通路を通過するときに絞り膨張し、低温・低圧の気液二相状態の冷媒となって、この膨張装置から出て行く。また、絞り通路よりも下流側には、急激に膨張した冷媒の流れを邪魔するようなものはないので、冷媒が衝突することによる騒音も低く抑えられている。膨張装置を出た気液二相状態の冷媒は、エバポレータに供給され、そこで、車室内の空気から吸熱して蒸発される。これにより、車室内の空気から蒸発潜熱が奪われて車室内の空気が冷却されることになる。以上の状態は、図示の例では、差圧ΔＰが２〜６ＭＰａの範囲を変化しているときに対応する。
【００２１】
このとき、ガスクーラから導入されるガス冷媒の圧力が急激に変化したときは、オリフィス１２の存在によって、ダンパ室１５内の圧力がその急激な圧力変化に追従することができないので、弁体７の開閉方向の動きが緩慢になる。これによって、冷凍サイクルが不安定になってハンチング現象が生じるのを抑制することができる。
【００２２】
また、ガスクーラから導入されるガス冷媒の圧力が急激に増加して、たとえば図示の例で差圧ΔＰが６ＭＰａに達したときの弁体７のリフト位置、つまり、絞り断面積の変化曲線の屈曲点では、スプリング１７は、荷重が０の自由長となるので、弁体７を付勢するのはスプリング１６だけとなり、合成のばね定数が小さくなる。これにより、差圧ΔＰが６ＭＰａを超えると、絞り通路断面積の増加率が大きくなるので、異常高圧の領域では、より多くの冷媒が下流側にリリーフされることになり、この結果、膨張装置の上流側の圧力が低下し、異常高圧により配管１などが破壊されてしまうことを防止することができる。
【００２３】
図３は第２の実施の形態に係る膨張装置の構成を示す中央縦断面図である。この図３において、図１に示した構成要素と同じ構成要素については同じ符号を付してその詳細な説明は省略する。
【００２４】
この第２の実施の形態に係る膨張装置は、第１の実施の形態に係る膨張装置と比較して、スプリング１７の荷重の調整を外部から行うことができるようにした点で異なる。すなわち、この膨張装置は、冷媒入口を構成する横孔６と下流側とを連通するようにボディ３の下部に軸線方向に設けられた孔１８に弁座形成部材１９を圧入している。一方、ピストン９は、スプリング１７を受けている部分を一体に形成するようにしている。なお、この例では、配管１を絞りまたは拡開加工することで内部に形成された段差２０の上流側に膨張装置が配置されている。
【００２５】
以上の構成により、スプリング１６は、蓋１４のシリンダ８への圧入量を調節することによって設定荷重が調整され、スプリング１７の設定荷重は、弁座形成部材１９の孔１８への圧入量を変えることによって調節することができる。
【００２６】
この膨張装置の作用については、第１の実施の形態に係る膨張装置と同じであるので、ここでは詳述しない。
図４は第３の実施の形態に係る膨張装置の構成を示す中央縦断面図である。この図４において、図３に示した構成要素と同じ構成要素については同じ符号を付してその詳細な説明は省略する。
【００２７】
この第３の実施の形態に係る膨張装置は、第２の実施の形態に係る膨張装置と比較して、ボディ３の下部に軸線方向に設けられた孔１８にパイプ２１を圧入して弁座形成部材としている点で異なっている。また、弁体７についても、パイプ２１の外周縁に着座するように着座面が漏斗状に形成されている。この構成により、パイプ２１の孔１８への圧入量を変えることによってスプリング１７の設定荷重を調節することができる。
【００２８】
この膨張装置においても、その作用は、第１の実施の形態に係る膨張装置と同じであるので、ここでは詳述しない。
図５は第４の実施の形態に係る膨張装置の構成を示す中央縦断面図である。この図５において、図４に示した構成要素と同じ構成要素については同じ符号を付してその詳細な説明は省略する。
【００２９】
この第４の実施の形態に係る膨張装置は、第１ないし第３の実施の形態に係る膨張装置と比較して、２つの差圧制御弁により図２に示した開弁特性を達成している点で相違している。すなわち、この膨張装置は、２つの差圧制御弁を軸線方向に互いに対向させた状態で配置し、それぞれリフトを開始する差圧が異なるように構成されている。
【００３０】
この膨張装置は、その冷媒入口を構成する横孔６を介して下流側に連通するようにボディ３の中央に孔３１が軸線方向に開けられており、この孔３１には、第１の差圧制御弁を構成する筒状弁体３２が軸線方向に進退自在に配置されている。
【００３１】
ボディ３の弁体支持部よりも図の下部は、筒状のシリンダ３３が一体に形成されており、その中には、筒状弁体３２に固着されたピストン３４が配置されている。シリンダ３３の下流側には筒状弁体３２とシリンダ３３との間を閉止する蓋３５がシリンダ３３に圧入されている。蓋３５にはオリフィス３６が設けられていて、ピストン３４と蓋３５とによって形成されたダンパ室３７を下流側に連通するようにしている。そのダンパ室３７内には、筒状弁体３２を図の上方へ付勢するスプリング３８が設けられている。そのスプリング３８の荷重は、蓋３５のシリンダ３３への圧入量によって調整される。なお、筒状弁体３２は、ボディ３の弁体支持部とピストン３４との間に横孔３９が形成されている。
【００３２】
また、この膨張装置は、筒状弁体３２の図の上端に対向してボディ３に軸線方向に進退自在に支持され、第２の差圧制御弁を構成する弁体４１を有している。このとき、筒状弁体３２は、弁体４１に対する弁座として機能することになる。もちろん、筒状弁体３２の側から見ると、弁体４１は、筒状弁体３２に対する弁座として機能する。
【００３３】
その弁体支持部よりも図の上方には、シリンダ４２がボディ３と一体に形成されている。このシリンダ４２の中には、弁体４１と同軸上に延びて一体に形成されたピストン４３が配置されている。シリンダ４２内には、ピストン４３の下限を規定するストッパ４４が内設されている。
【００３４】
弁体４１およびピストン４３は、その軸線方向に中央通路４５が形成され、この中央通路４５は、筒状弁体３２の中央の通路を介してこの膨張装置の下流側へ連通しているとともに、ピストン４３に形成されたオリフィス４６を介してその上部の空間に連通し、また、横孔４７を介してピストン４３の下部の空間にも連通している。
【００３５】
シリンダ４２の上部は、蓋４８が圧入されていて、ピストン４３とともに閉じた空間のダンパ室４９を構成している。このダンパ室４９内には、ピストン４３をストッパ４４に当接させるようスプリング５０が配置されている。そのスプリング５０は、筒状弁体３２を図の上方へ付勢するスプリング３８よりも大きな荷重を有し、その荷重は、蓋４８のシリンダ４２への圧入量によって調整される。
【００３６】
以上のように構成された膨張装置において、まず、差圧が小さいとき、この膨張装置は、ピストン４３がスプリング５０によってストッパ４４に押し付けられており、そのときの弁体４１の端面に、筒状弁体３２がスプリング３８の付勢力によって着座されているので、全閉状態にある。この全閉状態では、弁体４１とこれを支持しているボディ３との間のクリアランスと、筒状弁体３２とこれを支持しているボディ３との間のクリアランスとによる最小の絞り通路断面積が存在しているので、それらのクリアランスを介して最少流量の冷媒がこの膨張装置の下流側へ流れている。
【００３７】
次に、上流側の冷媒の圧力が高くなって膨張装置の前後の差圧ΔＰが大きくなり、その差圧ΔＰによる筒状弁体３２のリフト荷重がスプリング３８の荷重よりも大きくなると、筒状弁体３２が図の下方へリフトしていく。筒状弁体３２のリフトに応じて弁体４１との間に形成される絞り通路断面積が増えていくので、その絞り通路断面積に応じた流量の冷媒が下流側に流れることになる。このとき、ピストン４３は、スプリング３８よりも荷重の大きなスプリング５０によってストッパ４４に押し付けられたままであるので、ピストン４３と一体の弁体４１、つまり、筒状弁体３２の弁座は、固定されたままである。
【００３８】
上流側の冷媒の圧力がさらに高くなって、膨張装置の前後の差圧ΔＰによる弁体４１のリフト荷重がスプリング５０の荷重よりも大きくなると、弁体４１が図の上方へリフトしていく。このことは、筒状弁体３２が差圧ΔＰの増加によって図の下方へ移動するとともに、筒状弁体３２の弁座が図の上方へ移動することにもなるので、差圧ΔＰが大きくなるに従って開弁するときの絞り通路断面積の変化率が筒状弁体３２のリフトだけによる場合よりも大きくなり、図２に示したような開弁特性を得ることができる。
【００３９】
したがって、ガスクーラから導入されるガス冷媒の圧力が急激に増加した場合、より多くの冷媒を下流側にリリーフさせることができるので、膨張装置の上流側の圧力を低下させて、配管１などが破壊されてしまうことを防止することができる。
【図面の簡単な説明】
【００４０】
【図１】第１の実施の形態に係る膨張装置の構成を配管内に設置した状態で示す中央縦断面図である。
【図２】膨張装置の基本的な開弁特性例を示す図である。
【図３】第２の実施の形態に係る膨張装置の構成を示す中央縦断面図である。
【図４】第３の実施の形態に係る膨張装置の構成を示す中央縦断面図である。
【図５】第４の実施の形態に係る膨張装置の構成を示す中央縦断面図である。
【符号の説明】
【００４１】
１  配管
２  縮管部
３  ボディ
４  Ｏリング
５  弁孔
６  横孔
７  弁体
８  シリンダ
９  ピストン
１０  ばね受け部材
１１  中央通路
１２  オリフィス
１３  横孔
１４  蓋
１５  ダンパ室
１６，１７  スプリング
１８  孔
１９  弁座形成部材
２０  段差
２１  パイプ
３１  孔
３２  筒状弁体
３３  シリンダ
３４  ピストン
３５  蓋
３６  オリフィス
３７  ダンパ室
３８  スプリング
３９  横孔
４１  弁体
４２  シリンダ
４３  ピストン
４４  ストッパ
４５  中央通路
４６  オリフィス
４７  横孔
４８  蓋
４９  ダンパ室
５０  スプリング
【図１】
2006292184.tif 000003
【図２】
2006292184.tif 000004
【図３】
2006292184.tif 000005
【図４】
2006292184.tif 000006
【図５】
2006292184.tif 000007